(57)【要約】【課題】高い信頼性を確保した状態で蓄積された広告実績に応じて適正に報酬を分配する。【解決手段】ブロックチェーンネットワーク５０は、広告実績に応じて分配されるべき報酬を示す報酬分配条件が記録されたブロックチェーンＢＣを保持している。処理装置１０、２０、３０及び４０は、分配元となる報酬の情報を含むトランザクションをブロックチェーンネットワーク５０にブロードキャストして、分配元となる報酬の情報をブロックチェーンＢＣに追加する。処理装置１０、２０、３０及び４０は、ブロックチェーンＢＣから報酬分配条件を参照し、分配されるべき報酬を示す報酬分配情報を作成し、報酬分配情報を含むトランザクションをブロックチェーンネットワーク５０にブロードキャストして、ブロックチェーンＢＣにおいて報酬取得する。【選択図】図１
2020194372.tif 000002
【特許請求の範囲】
【請求項１】
広告実績と、前記広告実績に応じて分配されるべき報酬を示す報酬分配条件と、が記録されたブロックチェーンを保持しているブロックチェーンネットワークと、
分配元となる報酬の情報を含むトランザクションを前記ブロックチェーンネットワークにブロードキャストして、前記分配元となる報酬の情報を前記ブロックチェーンに追加する第１の処理装置と、を備え、
前記第１の処理装置は、前記ブロックチェーンから前記報酬分配条件を参照し、前記第１の処理装置に分配されるべき報酬を示す報酬分配情報を作成し、
前記第１の処理装置は、前記報酬分配情報を含むトランザクションを前記ブロックチェーンネットワークにブロードキャストして、前記ブロックチェーンにおいて前記分配されるべき報酬を、前記分配元となる報酬から取得する、
報酬分配システム。
【請求項２】
前記報酬分配情報を受け取り、前記報酬分配情報を含むトランザクションを前記ブロックチェーンネットワークにブロードキャストして、前記ブロックチェーンにおいて前記分配されるべき報酬を前記分配元となる報酬から取得する第２の処理装置をさらに備え、
前記第１の処理装置は、前記ブロックチェーンから前記報酬分配条件を参照し、前記第２の処理装置に分配されるべき報酬を示す前記報酬分配情報を作成して、前記第２の処理装置に与える、
請求項１に記載の報酬分配システム。
【請求項３】
広告を発注する者、発注に応じて前記広告を管理する者、及び、前記広告を制作する者のいずれか又は一部が、前記第１の処理装置によって前記報酬分配情報を作成し、
前記発注に応じて広告を管理する者、及び、前記広告を制作する者のうちで前記第１の処理装置によって前記報酬分配情報を作成しなかった者と、前記広告実績に応じて報酬の分配を受ける権利を有する他の者とは、前記第１の処理装置から前記報酬分配情報を受け取った前記第２の処理装置によって報酬を取得する、
請求項２に記載の報酬分配システム。
【請求項４】
広告を発注する者からの発注に応じて前記広告を管理する者、前記広告を制作する者、及び、前記広告実績に応じて報酬の分配を受ける権利を有する他の者は、前記第１の処理装置によって報酬を取得する、
請求項１又は２に記載の報酬分配システム。
【請求項５】
前記広告を発注する者は、広告の発注内容を示す情報を含むトランザクションを前記ブロックチェーンネットワークにブロードキャストして、前記広告の発注内容を示す情報を前記ブロックチェーンに追加する、
請求項３又は４に記載の報酬分配システム。
【請求項６】
前記広告の発注内容を示す情報には、前記報酬分配条件が含まれる、
請求項５に記載の報酬分配システム。
【請求項７】
前記広告の発注内容を示す情報には、
前記広告の発注金額、
広告費の上限、
広告の対象物、
広告の対象サービス、
前記広告を発注する者、前記広告を管理する者、前記広告を制作する者及び前記広告実績に応じて報酬の分配を受ける権利を有する他の者を特定するための情報、
発注前に広告を発注する者に提示された見積を示す情報、
前記広告にかかる広告素材、
前記広告素材のメタ情報、
のうちの一部又は全部が含まれる、
請求項５又は６に記載の報酬分配システム。
【請求項８】
分配元となる報酬の情報を含むトランザクションを、広告実績と前記広告実績に応じて分配されるべき報酬を示す報酬分配条件とが記録されたブロックチェーンを保持しているブロックチェーンネットワークにブロードキャストして、前記分配元となる報酬の情報を前記ブロックチェーンに追加し、
前記ブロックチェーンから前記報酬分配条件を参照し、分配されるべき報酬を示す報酬分配情報を作成し、
前記報酬分配情報を含むトランザクションを前記ブロックチェーンネットワークにブロードキャストして、前記ブロックチェーンにおいて前記分配されるべき報酬を、前記分配元となる報酬から取得する、
報酬分配方法。
【請求項９】
広告実績と、前記広告実績に応じて分配されるべき報酬を示す報酬分配条件と、が記録されたブロックチェーンを保持しているブロックチェーンネットワークと接続される処理装置であって、
分配元となる報酬の情報を含むトランザクションを前記ブロックチェーンネットワークにブロードキャストして、前記分配元となる報酬の情報を前記ブロックチェーンに追加する追加手段と、
前記ブロックチェーンから前記報酬分配条件を参照し、前記処理装置に分配されるべき報酬を示す報酬分配情報を作成する作成手段と、
前記報酬分配情報を含むトランザクションを前記ブロックチェーンネットワークにブロードキャストして、前記ブロックチェーンにおいて前記分配されるべき報酬を、前記分配元となる報酬から取得する取得手段と、を備える、
処理装置。
【請求項１０】
広告実績と、前記広告実績に応じて分配されるべき報酬を示す報酬分配条件と、が記録されたブロックチェーンを保持しているブロックチェーンネットワークと接続される処理装置のコンピュータに、
分配元となる報酬の情報を含むトランザクションを前記ブロックチェーンネットワークにブロードキャストして、前記分配元となる報酬の情報を前記ブロックチェーンに追加する処理と、
前記ブロックチェーンから前記報酬分配条件を参照し、前記処理装置に分配されるべき報酬を示す報酬分配情報を作成する処理と、
前記報酬分配情報を含むトランザクションを前記ブロックチェーンネットワークにブロードキャストして、前記ブロックチェーンにおいて前記分配されるべき報酬を、前記分配元となる報酬から取得する処理と、を実行させる、
プログラム。
【発明の詳細な説明】
【技術分野】
【０００１】
本発明は、報酬分配システム、報酬分配方法、処理装置及びプログラムに関する。
【背景技術】
【０００２】
今日、画像や動画で構成される様々な広告（ＣＭ：Commercial message）が、街頭のデジタルサイネージ、公共交通機関の車両内に設けられた表示装置、テレビ、スマートフォンなどの各種表示機器に、通信ネットワークを介して配信される。
【０００３】
広告を配信する手法として、所定のタイミングでスポンサーのＣＭコンテンツが表示される放送コンテンツをインターネットなどのネットワーク上で配信する技術が提案されている（特許文献１）。この技術においては、広告の配信を管理する管理装置に、視聴要求受信部と返信部とが設けられる。視聴要求受信部は、視聴時間帯ごとにスポンサーがついている放送コンテンツ、及び、広告コンテンツを含む動画コンテンツの視聴要求を受信する。視聴要求受信部が視聴要求を受信すると、返信部は、放送コンテンツの動画ファイルを配信する放送コンテンツ配信装置のアドレス情報、及び、視聴時間におけるスポンサーの広告コンテンツの動画ファイルを配信する広告配信装置のアドレス情報を含むコンテンツ情報を返信する。これにより、視聴時間帯ごとにスポンサーがついている放送コンテンツの視聴時間に応じて、当該視聴時間のスポンサーの広告コンテンツ（番組広告）を表示することが可能となる。すなわち、視聴時間に応じた広告コンテンツの配信が実現できる。
【先行技術文献】
【特許文献】
【０００４】
【特許文献１】特開２０１６−１５２５８２号公報
【発明の概要】
【発明が解決しようとする課題】
【０００５】
このように配信した広告が表示ないしは再生されると、広告会社、広告制作者、広告に出演するタレントや広告で使われた楽曲の作曲者などの権利者は、その実績に応じて報酬を受けとることなる。広告の配信が様々なメディアや配信期間で行われる場合には、広告実績と報酬を受け取る権利者との関係を把握する必要があるが、その作業は複雑である。近年では、広告制作は大手の広告代理店や制作会社だけでなく、小規模ベンチャーや個人のクリエイターにも広がっており、その権利関係の処分はますます複雑化している。
【０００６】
また、金銭を含む報酬の支払いの根拠となる広告実績には、高い信頼性が求められる。そのため、広告実績の蓄積には高いセキュリティが確保された記録手法を用いる必要がある。
【０００７】
よって、高い信頼性を確保した状態で広告実績を蓄積し、かつ、広告実績に応じて権利者に報酬を適正に支払うという複雑な作業を正確に行うことができる手法の確立が求められている。
【０００８】
本発明は、上記の事情に鑑みて成されたものであり、高い信頼性を確保した状態で蓄積された広告実績に応じて適正に報酬を分配することを目的とする。
【課題を解決するための手段】
【０００９】
本発明の一態様である報酬分配システムは、広告実績と、前記広告実績に応じて分配されるべき報酬を示す報酬分配条件と、が記録されたブロックチェーンを保持しているブロックチェーンネットワークと、分配元となる報酬の情報を含むトランザクションを前記ブロックチェーンネットワークにブロードキャストして、前記分配元となる報酬の情報を前記ブロックチェーンに追加する第１の処理装置と、を有し、前記第１の処理装置は、前記ブロックチェーンから前記報酬分配条件を参照し、前記第１の処理装置に分配されるべき報酬を示す報酬分配情報を作成し、前記第１の処理装置は、前記報酬分配情報を含むトランザクションを前記ブロックチェーンネットワークにブロードキャストして、前記ブロックチェーンにおいて前記分配されるべき報酬を、前記分配元となる報酬から取得するものである、
【００１０】
本発明の一態様である報酬分配方法は、分配元となる報酬の情報を含むトランザクションを、広告実績と前記広告実績に応じて分配されるべき報酬を示す報酬分配条件とが記録されたブロックチェーンを保持しているブロックチェーンネットワークにブロードキャストして、前記分配元となる報酬の情報を前記ブロックチェーンに追加し、前記ブロックチェーンから前記報酬分配条件を参照し、分配されるべき報酬を示す報酬分配情報を作成し、前記報酬分配情報を含むトランザクションを前記ブロックチェーンネットワークにブロードキャストして、前記ブロックチェーンにおいて前記分配されるべき報酬を、前記分配元となる報酬から取得するものである。
【発明の効果】
【００１１】
本発明によれば、高い信頼性を確保した状態で蓄積された広告実績に応じて適正に報酬を分配することができる。
【図面の簡単な説明】
【００１２】
【図１】実施の形態１にかかる報酬分配システムの構成を模式的に示す図である。
【図２】処理装置のハードウェア構成の一例を模式的に示す図である。
【図３】処理装置のハードウェア構成の一例を模式的に示す図である。
【図４】実施の形態１にかかる処理装置の機能構成を模式的に示す図である。
【図５】実施の形態１にかかる報酬の分配処理を示す図である。
【図６】実施の形態１にかかる報酬分配の例を示す図である。
【図７】実施の形態１にかかる報酬分配システムの第１の変形例を模式的に示す図である。
【図８】実施の形態１にかかる報酬分配システムの第２の変形例を模式的に示す図である。
【図９】実施の形態１にかかる報酬分配システムの第３の変形例を模式的に示す図である。
【図１０】処理装置がブロックチェーンＢＣを共有する場合の報酬分配システムの構成を模式的に示す図である。
【図１１】実施の形態２にかかる報酬分配システムの動作を示す図である。
【発明を実施するための形態】
【００１３】
以下、図面を参照して本発明の実施の形態について説明する。各図面においては、同一要素には同一の符号が付されており、必要に応じて重複説明は省略される。
【００１４】
実施の形態１
実施の形態１にかかる報酬分配システムについて説明する。図１に、実施の形態１にかかる報酬分配システム１０００の構成を模式的に示す。実施の形態１にかかる報酬分配システム１０００は、処理装置１０、２０、３０、４０、ブロックチェーンネットワーク５０及び通信ネットワーク６０で構成される。処理装置１０、２０、３０、４０及びブロックチェーンネットワーク５０は、通信ネットワーク６０を介して各種データのやり取りが可能である。
【００１５】
本実施の形態では、処理装置１０のユーザは、広告を発注する者、すなわち広告主が使用する装置である。
【００１６】
処理装置２０のユーザは、広告の管理を行う者、すなわち広告会社、広告代理店などの広告主からの発注を受けて広告素材の調達、広告の配信などの手配を行う者である。
【００１７】
処理装置３０のユーザは、広告素材の制作を行う者、すなわち広告制作会社、小規模ベンチャーや個人といった広告クリエイターなどである。
【００１８】
処理装置４０のユーザは、広告素材の使用によって報酬の支払いを受ける権利を有する者である。権利者としては、例えば、広告に出演し又は広告に肖像を提供している芸能人や、広告で使用される楽曲の作曲者、作詞者、演奏者及び歌手などである。なお、図１では、図面及び説明の簡略化のため、権利者が使用する処理装置４０が１つだけ設けられた構成としたが、これは例示に過ぎない。１つの広告について報酬の支払いを受ける権利者が複数存在する場合には、それぞれの権利者が処理装置４０と同様の処理装置を用いることができることは、言うまでもない、
【００１９】
処理装置２０及び３０は、報酬の対象である、画像や動画で構成される広告素材を保持していてもよい。処理装置２０及び３０は、計画や必要に応じて、広告素材を、通信ネットワーク６０を介して、各種の表示装置（不図示）に配信する。この場合、処理装置２０及び３０は、配信履歴に基づいて作成したトランザクションをブロックチェーンネットワーク５０にブロードキャストすることで、広告素材の配信履歴をブロックチェーンに記録してもよい。
【００２０】
また、広告実績の配信及び配信履歴に基づいて作成したトランザクションのブロックチェーンへのブロードキャストは、処理装置２０及び３０以外の他の処理装置が行ってもよい。別に広告を配信する者（例えば配信会社）が存在する場合には、その広告を配信する者の処理装置によって、広告実績の配信及び配信履歴に基づいて作成したトランザクションのブロックチェーンへのブロードキャストを行ってもよい。
【００２１】
次いで、本実施の形態にかかる処理装置１０、２０、３０及び４０のハードウェア構成の一例について説明する。処理装置１０、２０、３０及び４０の各機能は、各種のハードウェア資源を用いて構成される任意のコンピュータを含む処理装置１００により実現することができる。換言すれば、処理装置１０、２０、３０及び４０の各機能は、当該コンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウェアとソフトウェアの任意の組合せによって実現される。そして、その実現方法、装置にはいろいろな変形例があることは、当業者には理解されるところである。
【００２２】
処理装置１００の構成例について説明する。図２に、処理装置１００のハードウェア構成の一例を模式的に示す。処理装置１００は、プロセッサ１０１、メモリ１０２、入出力インターフェイス１０３、表示部１０４、周辺回路１０５及びバス１０６を有する。プロセッサ１０１、メモリ１０２、入出力インターフェイス１０３、表示部１０４及び周辺回路１０５は、バス１０６を介して相互にデータを送受信することができる。
【００２３】
プロセッサ１０１は、例えばＣＰＵ（Central Processing Unit） やＧＰＵ（Graphics Processing Unit）などの各種の演算処理装置を用いることができる。プロセッサ１０１は、各モジュールに指令を出し、それらの演算結果をもとに演算を行うことができる。メモリ１０２は、例えばＲＡＭ（Random Access Memory）やＲＯＭ（Read Only Memory）などの各種の記憶装置を用いることができる。入出力インターフェイス１０３は、入力装置（例：キーボード、マウス、マイク等）、外部装置、外部サーバ、外部センサー等から情報を取得するためのインターフェイスや、出力装置（例：ディスプレイ、スピーカ、プリンター、メーラ等）、外部装置、外部サーバ等に情報を出力するためのインターフェイスなどを含む。表示部１０４は、液晶ディスプレイ、有機ＥＬディスプレイ、ＬＥＤディスプレイなどの各種の表示装置を含む。周辺回路１０５には、様々なモジュールが含まれる。なお、処理装置１００は、周辺回路１０５を有さなくてもよい。
【００２４】
処理装置１０のハードウェア構成について説明する。図３に、処理装置１０のハードウェア構成の一例を模式的に示す。図３に示すように、処理装置１０は処理装置１００の一部又は全部を用いて構成される。処理装置１０の機能は、処理装置１００を構成するコンピュータにプログラムを実行させることで実現される。なお、図示しないが、処理装置２０、３０及び４０のハードウェア構成についても、図３と同様である。
【００２５】
次いで、処理装置１０の機能構成について説明する。図４に、実施の形態１にかかる処理装置１０の機能構成を模式的に示す。処理装置１０は、処理部１及び記憶部２を有する。
【００２６】
処理部１は、記憶部２に格納された情報、通信ネットワーク６０を介して受け取った情報やブロックチェーンＢＣを参照して得た情報などを処理するものとして構成される。また、処理部１は、必要に応じてトランザクションを作成し、通信ネットワーク６０に作成したトランザクションをブロードキャスト可能に構成される。処理部１としては、例えば、図２に示したプロセッサ１０１を用いてもよい。
【００２７】
記憶部２は、処理装置１０に入力される情報が格納可能に構成される。例えば、記憶部２には、処理部１が通信ネットワーク６０を介して受け取った情報、処理部１が作成した情報など、各種の情報が格納されてもよい。記憶部２としては、例えば、図２に示したメモリ１０２を用いてもよい。
【００２８】
次いで、実施の形態１にかかる報酬分配システム１０００の動作について説明する。初めに、処理装置２０のユーザ（広告主）は、報酬を分配するためのチャネルを作成する。具体的には、処理装置２０は、チャネル開設情報を含むトランザクションＴＲ１を生成し、ブロックチェーンネットワーク５０にブロードキャストする。これにより、ブロックチェーンＢＣに報酬分配に用いられるチャネルが開設される。
【００２９】
なお、このブロックチェーンＢＣには、予め報酬の分配方法を定めた報酬分配条件が記録されている。以降で説明する報酬の分配は、この報酬分配条件に則って行われるものとする。報酬分配条件の詳細については後に説明する。
【００３０】
チャネル開設後には、処理装置２０、３０及び４０は、必要に応じて、報酬の分配対象の広告の配信や表示などの広告実績を示す情報を含むトランザクションを必要に応じて作成し、ブロックチェーンネットワーク５０にブロードキャストする。これにより、適宜広告実績を示す情報が、高いセキュリティが確保された状態でブロックチェーンＢＣに蓄積されてゆく。
【００３１】
次いで、報酬の分配について具体的に説明する。図５に、実施の形態１にかかる報酬の分配処理を示す。
【００３２】
ステップＳ１１
処理装置１０（広告主）及び処理装置２０（広告会社）は、ブロックチェーンＢＣを参照し、参照した時点での広告実績を取得する。
【００３３】
ステップＳ１２
広告会社は、取得した広告実績に基づいて、広告会社に対して報酬の支払いを請求すする。この請求処理は、広告会社の処理装置２０から広告主の処理装置１０へ請求情報を送信することで行うことができる。
【００３４】
ステップＳ１３
広告主は、広告会社からの請求と広告実績とを照合し、請求内容が妥当である場合には、請求に応じた額の報酬を広告会社に支払う。このとき、広告主の処理装置１０と広告会社の処理装置２０との間で直接的に支払い処理を行ってもよいし、ネットバンキングなどの一般的に提供されている決済手段を介して支払い処理を行い、処理装置１０から処理装置２０へ支払い処理を行ったことを通知してもよい。
【００３５】
ステップＳ１４
広告会社の処理装置２０は、分配対象となる報酬の総額を示す情報を含むトランザクションを作成し、作成したトランザクションをブロックチェーンネットワーク５０にブロードキャストする。これにより、分配対象となる報酬は、必要に応じてその一部又は全部がブロックチェーンネットワーク５０内で流通可能な形式にて、ブロックチェーンＢＣにて管理される。換言すれば、分配対象となる報酬は、例えばビットコインなどの仮想通貨のような、ブロックチェーンネットワーク５０で流通可能なものとして管理される。
【００３６】
ここでは、分配される報酬としてブロックチェーンＢＣに記録される情報を、報酬情報と称し、以下ではデポジット（Deposit）とも称する。すなわち、デポジット（報酬情報）は、ブロックチェーン上で複数の主体間で流通可能に管理された情報であり、その全部又は一部の所有権を１つの主体から他の主体へ必要に応じて移転させることが可能なものである。これにより、１つの主体から他の主体へ報酬の支払いないし分配をブロックチェーンＢＣ上で行うことができる。
【００３７】
ステップＳ１５
広告会社の処理装置２０は、ブロックチェーンＢＣに記録したデポジットを参照し、デポジット総額の範囲内で報酬の分配を受ける権利を有することを証明する報酬分配情報（トークン：Token）を作成する。このトークンは、所定の比率でデポジットと交換が可能なポイントなどとして作成される。例えば、デポジット総額を１００００とした場合、単位１ポイント単位のトークンを１００００ポイント分作成する。報酬の分配を受ける者は、保有するトークンのポイント数に対応した量（額）のデポジットを受け取ることが可能である。
【００３８】
ステップＳ１６
広告会社の処理装置２０は、ブロックチェーンＢＣを参照し、広告実績と報酬分配条件とを取得する。そして、広告制作者の処理装置３０及び権利者の処理装置４０のそれぞれに、報酬分配条件に基づいて、広告実績に応じた量のトークンを分配する。
【００３９】
ここで、報酬分配条件について具体的に説明する。図６に、実施の形態１にかかる報酬分配の例を示す。この例では、広告主が拠出する広告費の予算（限度額）を１億円、配信期間を３ヶ月間とする。
【００４０】
図６の例では、ある時点でブロックチェーンＢＣに記録された広告実績を参照したところ、広告の配信開始から広告実績を参照した時点までの広告の再生回数が１００万回であった。これに対し、図６では、報酬分配条件として、再生１回あたりに支払われる報酬が、配信会社が０．２円、著作権管理団体が５円、広告制作者が２０円、芸能事務所が３０円、デザイナーが１０円と定められている。なお、配信会社、著作権管理団体、芸能事務所及びデザイナーは、権利者に対応するものとする。広告会社の対する報酬は、権利者及び広告制作者に分配する報酬の３０％と定められている。
【００４１】
この場合、分配される報酬の額は、配信会社が２０万円、著作権管理団体が５００万円、広告制作者が２，０００万円、芸能事務所が３，０００万円、デザイナーが１，０００万円である。よって、権利者及び広告制作者に分配される報酬の総額は６，５２０万円となり、広告会社に分配される報酬は１，９５６万円となる。その結果、分配される報酬の合計は、８，４７６万円となる。
【００４２】
広告会社の処理装置２０は、図６の例に対応した額の報酬が分配されるように、対応する量のトークンを権利者及び広告制作者のそれぞれに分配する。なお、処理装置２０は、広告会社に分配される１，９５６万円分のトークンについては、自己で取得する。
【００４３】
ステップＳ１７
広告会社の処理装置２０、広告制作者の処理装置３０及び権利者の処理装置４０処理は、自己が取得したトークンの数量を示す情報を含むトランザクションを作成し、作成したトランザクションをブロックチェーンネットワーク５０にブロードキャストする。これにより、処理装置２０のユーザ（例えば、広告会社）に紐付けられたデポジットのうち、取得したトークンに対応する量のデポジットが処理装置２０、３０及び４０のユーザ（広告会社、広告制作者及び権利者）に紐付けられる。その結果、処理装置２０、  ３０及び４０のユーザ（広告会社、広告制作者及び権利者）は、ブロックチェーンＢＣ上において、広告実績に応じた量のデポジットを報酬として受け取ることができる。
【００４４】
上述の図６の例では、予算額１億円に対して支払われる報酬総額が８，４７６万円であったので、予算は１，５２４万円残っている。そこで、広告の配信は、その後残りの予算額が報酬として支払われて予算が消化された場合、又は、予算が残っていても予定していた配信期間の終期が到来した場合に、広告の配信は終了となる。
【００４５】
報酬の分配処理を行うべき状況が終了したならば、広告主の処理装置１０は、ブロックチェーンＢＣの報酬分配に用いられるチャネルを閉鎖するためのトランザクションＴＲ２を作成し、ブロックチェーンネットワーク５０へブロードキャストする。これにより、報酬分配に用いられるチャネルは閉鎖され、報酬分配は終了する。
【００４６】
以上、本構成によれば、ブロックチェーンＢＣを利用して広告実績を記録し、かつ、通信ネットワーク６０内の端末等や処理装置１０、２０、３０及び４０と通信ネットワーク６０とを含むネットワークにてブロックチェーンＢＣを共有することで、記録後の配信履歴の改ざんを防止することができる。
【００４７】
例えば、各処理装置が広告実績を蓄積しているとしても、通常は削除が可能な型式で一時的に保存されているのみであり、必要に応じて一部又は全部が削除され得る。また、よって、このような信頼性の低い情報を報酬の支払い根拠として用いることができない。これに対し、本構成では、ブロックチェーンＢＣの広告実績を記録して、改ざんや記録の散逸を防止することができるので、信頼性の高い情報に基づいて報酬の支払いを行うことが可能となる。
【００４８】
また、本構成によれば、任意の時点でブロックチェーンＢＣに記録された特定の広告実績を参照し、所望のタイミングで報酬の分配を行うことができる。これにより、広告の配信期間の任意の時期で、報酬の支払いを柔軟に行うことができる。
【００４９】
広告実績はブロックチェーンＢＣに記録されたものであるため、報酬の支払いが広告実績に応じたトークンに基づいて適正に行われた事実の確証ないしは証拠として用いることも可能である。これにより、報酬の支払いにかかるトラブルの防止を図ることができる。
【００５０】
権利者は、自身が権利を有する過去の様々な広告の報酬を任意の時期に閲覧することも可能である。これにより、過去の実績に鑑みて、今後の広告への出演等で要求すべき報酬の額の決定し、契約相手から提示された報酬の額が適正なものであるかを評価することも可能である。
【００５１】
上述では、処理装置１０、２０及び３０（広告主、広告会社及び広告製者）が分かれている構成について説明したが、処理装置１０、２０及び３０のユーザの特性に応じて、複数の処理装置の機能を統合してもよい。
【００５２】
例えば、広告主が広告制作者に広告を発注してその管理を依頼する場合、広告会社が介在しない場合がある。この場合、処理装置２０の機能を広告主の処理装置に統合してもよい。図７に、報酬分配システムの第１の変形例１００１を模式的に示す。この例では、処理装置１０及び処理装置２０の機能を統合した処理装置１１を設け、広告主がユーザとして処理装置１１を使用して、デポジットの記録、トークンの作成、トークンの分配を行う。したがって、図５で示す報酬分配処理のうち、処理装置１０及び２０が行う処理については、処理装置１１がまとめて行うこととなる。
【００５３】
また、例えば、上述と同様に広告主が広告制作者に広告を発注してその管理を依頼する場合、又は、広告会社が広告制作者として広告の制作を行う場合が想定しうる。この場合、処理装置２０及び処理装置３０の機能を広告会社の処理装置又は広告制作者の処理装置に統合してもよい。
【００５４】
図８に、報酬分配システムの第２の変形例１００２を模式的に示す。この例では、処理装置２０及び処理装置３０の機能を統合した処理装置２１を設け、広告会社がユーザとして処理装置２１を使用して、デポジットの記録、トークンの作成、トークンの分配を行う。したがって、図５で示す報酬分配処理のうち、処理装置２０及び３０が行う処理については、処理装置２１がまとめて行うこととなる。
【００５５】
図９に、報酬分配システムの第３の変形例１００３を模式的に示す。この例では、処理装置２０及び処理装置３０の機能を統合した処理装置３１を設け、広告制作者がユーザとして処理装置３１を使用して、デポジットの記録、トークンの作成、トークンの分配を行う。したがって、図５で示す報酬分配処理のうち、処理装置２０及び３０が行う処理については、処理装置３１がまとめて行うこととなる。
【００５６】
換言すれば、本実施の形態にかかる報酬分配システムに含まれる処理装置は、トークンを作成、分配、取得する機能を有する第１の処理装置と、トークンの分配を受けてデポジットを取得する第２の処理装置と、に分けられる。本実施の形態においては、処理装置２０、１１、２１及び３１が第１の処理装置に対応し、処理装置１０、３０及び４０が第２の処理装置に対応する。なお、図７〜９では、２つの処理装置を統合した第１の処理装置として処理装置１１、２１及び３１について説明したが、複数の処理装置を統合した他の第１の処理装置を構成してもよい。
【００５７】
なお、上述では、１つの処理装置が第１の処理装置として動作し、他の処理装置が第２の処理装置として動作していたが、報酬分配システムに含まれる処理装置のそれぞれが第１の処理装置として動作してもよい。この場合、広告主、広告会社、広告制作者及び権利者は、それぞれがブロックチェーンを参照して自己が受け取るべき報酬に対応するトークンを作成し、作成したトークンによって報酬と取得することができる。
【００５８】
なお、本構成では、各処理装置は、ブロックチェーンネットワーク５０とブロックチェーンＢＣを共有してもよい。図１０に、処理装置１０、２０、３０及び４０がブロックチェーンＢＣを共有する場合の報酬分配システム１０００の構成を模式的に示す。この場合、処理装置１０、２０、３０及び４０とブロックチェーンネットワーク５０とは、ブロックチェーンＢＣを共有するブロックチェーンネットワーク５１を構成するものとして理解できる。
【００５９】
実施の形態２
実施の形態２にかかる報酬分配システムについて説明する。実施の形態２にかかる報酬分配システムは、報酬の分配に必要な、広告実績に応じた報酬の量（支払額）が決定される、広告の発注処理に対応したシステムとして構成される。
【００６０】
実施の形態２にかかる報酬分配システムの動作ついて説明する。図１１に、実施の形態２にかかる報酬分配システムの動作を示す。初めに、処理装置１０のユーザである広告主は、広告の発注を行うためのチャネルを作成する。具体的には、処理装置１０は、広告発注にかかる情報を記録するチャネルの開設情報を含むトランザクションＴＲ３を生成し、ブロックチェーンネットワーク５０にブロードキャストする。これにより、ブロックチェーンＢＣに広告発注にかかる情報の記録に用いられるチャネルが開設される。
【００６１】
チャネル開設後には、処理装置１０、２０、３０及び４０は、発注の内容を示す情報を含むトランザクションを必要に応じて作成し、ブロックチェーンネットワーク５０にブロードキャストする。これにより、適宜発注内容を示す情報が、高いセキュリティが確保された状態でブロックチェーンＢＣに蓄積されてゆく。
【００６２】
ステップＳ２１
広告主は、広告会社に対して新たな広告の要件、すなわち広告の対象物又は対象サービス、分配される報酬を含む広告費などの情報である発注仕様を広告会社に公開する。
【００６３】
ステップＳ２２
広告会社は、発注仕様に対応して、広告主に見積もりを提示する。
【００６４】
ステップＳ２３
広告主は、提示された見積を検討し、広告会社に対して発注処理を行う。
【００６５】
ここでは、発注内容を示す情報の公開、見積の提示及び発注の通知をまとめて発注交渉と称する。発注交渉における広告主と広告会社との間のやりとりは、処理装置１０と処理装置２０との間の通信によって行うことができる。
【００６６】
上述では、広告発注にかかる情報の記録に用いられるチャネルを開設したあとに、発注交渉が行われる場合について説明したが、この順には限られない。すなわち、発注交渉の後に広告発注にかかる情報の記録に用いられるチャネルを開設されてもよいし、発注交渉の最中に広告発注にかかる情報の記録に用いられるチャネルを開設してもよい。
【００６７】
ステップＳ２４
広告主は、発注交渉にて確定した、広告の発注内容を示す情報を含むトランザクションＴＲ４を作成し、作成したトランザクションＴＲ４をブロックチェーンネットワーク５０へブロードキャストする。これにより、広告の発注内容を示す情報がブロックチェーンＢＣに記録される。発注内容を示す情報としては、発注金額、広告費の上限、広告の対象物又はサービス、広告主及び広告会社を特定する情報、広告会社が提示した見積などの発注交渉により確定した情報及び発注交渉の過程で用いられた情報などが含まれる。
【００６８】
ステップＳ２５
広告主から広告会社に広告が発注されると、広告会社は、広告制作者に広告の制作を依頼し、かつ、広告の制作に起用する出演者や楽曲提供者などの権利者に広告制作への参加を依頼する。このとき、広告会社は、制作する広告の実績に応じて提供する報酬の条件を、広告制作会社及び権利者に提示する。
【００６９】
ステップＳ２６
報酬条件の提示を受けた広告制作者及び権利者は、報酬条件を承諾する場合には、その旨を広告会社に通知する。
【００７０】
ステップＳ２７
広告会社は、承諾通知を受け取ったならば、広告制作者へ広告の制作を発注し、かつ、権利者へ広告制作への参加を発注する。
【００７１】
ステップＳ２８
広告制作者は、権利者の参加を得て広告素材を制作し、制作した広告素材を広告会社へ納品する。
【００７２】
ステップＳ２９
広告会社は、広告素材を、広告の配信先が指定する仕様に対応するフォーマットに加工して、広告主に納品する。
【００７３】
言うまでもないが、上述のステップＳ２５〜Ｓ２９の処理は、処理装置１０、２０、３０及び４０の間で通信により行うことができる。
【００７４】
ステップＳ３０
広告主は、納品された広告素材の内容が発注に基づいた適切なものであるかを判断する。適切であると判断した場合、合意した報酬条件に基づいた報酬分配条件、発注金額、納品された広告素材、納品された広告素材のメタ情報など、広告主が広告会社に発注を行った後に生成された情報を含むトランザクションＴＲ５を作成し、ブロックチェーンネットワーク５０へブロードキャストする。これにより、広告主が広告会社に発注を行った後に生成された発注にかかる情報がブロックチェーンＢＣに記録されることとなる。
【００７５】
以上、本構成によれば、広告の発注の内容を示す情報をブロックチェーンに記録することができる。これにより、発注内容ないしは発注契約の事後的な改変を防止しつつ保持することができる。広告の発注後において、広告主、広告会社、広告制作者及び権利者のそれぞれが発注の内容を任意のタイミングで閲覧することができる。これにより、契約内容の解釈の相違などに起因するトラブルを防止することができる。
【００７６】
また、発注契約の契約者である広告主、広告会社、広告制作者及び権利者のそれぞれの間で合意がなされた報酬条件に基づいた報酬分配条件（図６）を、改変を防止しつつ保持することができる。これにより、実施の形態１にかかる報酬分配で用いる報酬分配条件を供給することが可能となり、適正な報酬の分配を実現することができる。
【００７７】
その他の実施の形態
なお、本発明は上記実施の形態に限られたものではなく、趣旨を逸脱しない範囲で適宜変更することが可能である。例えば、処理装置１００の構成は一例に過ぎず、他のハードウェア構成を適宜に適用できることは、言うまでもない。
【００７８】
上述の実施の形態において、通信ネットワーク６０は、インターネットのような公衆ネットワークを用いてもよいし、クローズドな専用ネットワークを用いてもよい。また、通信ネットワーク６０は、有線通信及び無線通信のいずれを用いてもよく、適宜これらを組み合わせてもよい。また、光通信ネットワークを用いてもよい。
【００７９】
上述の実施の形態では、処理装置をハードウェアの構成として説明したが、これに限定されるものではない。ＣＭ配信管理システムの機能は、任意の処理を、ＣＰＵ（Central Processing Unit）にコンピュータプログラムを実行させることにより実現することも可能である。  また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８０】
実施の形態２で説明した発注内容をブロックチェーンＢＣに追加する動作は、実施の形態１で説明した報酬の分配動作を必要とするものではなく、報酬の分配動作とは独立して行うことができることは、言うまでもない。
【００８１】
上述では、処理部１が記憶部２に格納された情報、通信ネットワーク６０を介して受け取った情報やブロックチェーンＢＣを参照して得た情報などを処理するものとして構成されるものとして説明した。また、処理部１が必要に応じてトランザクションを作成し、通信ネットワーク６０に作成したトランザクションをブロードキャスト可能に構成されるものとして説明した。すなわち、処理部１は、分配元となる報酬の情報を含むトランザクションをブロックチェーンネットワーク５０にブロードキャストして、分配元となる報酬の情報をブロックチェーンＢＣに追加する追加手段として機能することができる。また、処理部１は、ブロックチェーンＢＣから報酬分配条件を参照し、分配されるべき報酬を示す報酬分配情報を作成する作成手段として機能することができる。さらに、処理部１は、報酬分配情報を含むトランザクションをブロックチェーンネットワーク５０にブロードキャストして、ブロックチェーンＢＣにおいて分配されるべき報酬を分配元となる報酬から取得する取得手段として機能することができる。
【００８２】
上記の実施形態の一部又は全部は、以下の付記のようにも記載され得るが、以下には限られない。
【００８３】
［付記１］
広告実績と、前記広告実績に応じて分配されるべき報酬を示す報酬分配条件と、が記録されたブロックチェーンを保持しているブロックチェーンネットワークと、分配元となる報酬の情報を含むトランザクションを前記ブロックチェーンネットワークにブロードキャストして、前記分配元となる報酬の情報を前記ブロックチェーンに追加する第１の処理装置と、を備え、前記第１の処理装置は、前記ブロックチェーンから前記報酬分配条件を参照し、前記第１の処理装置に分配されるべき報酬を示す報酬分配情報を作成し、前記第１の処理装置は、前記報酬分配情報を含むトランザクションを前記ブロックチェーンネットワークにブロードキャストして、前記ブロックチェーンにおいて前記分配されるべき報酬を、前記分配元となる報酬から取得する、報酬分配システム。
【００８４】
［付記２］
前記報酬分配情報を受け取り、前記報酬分配情報を含むトランザクションを前記ブロックチェーンネットワークにブロードキャストして、前記ブロックチェーンにおいて前記分配されるべき報酬を前記分配元となる報酬から取得する第２の処理装置をさらに備え、前記第１の処理装置は、前記ブロックチェーンから前記報酬分配条件を参照し、前記第２の処理装置に分配されるべき報酬を示す前記報酬分配情報を作成して、前記第２の処理装置に与える、付記１に記載の報酬分配システム。
【００８５】
［付記３］
広告を発注する者、発注に応じて前記広告を管理する者、及び、前記広告を制作する者のいずれか又は一部が、前記第１の処理装置によって前記報酬分配情報を作成し、前記発注に応じて広告を管理する者、及び、前記広告を制作する者のうちで前記第１の処理装置によって前記報酬分配情報を作成しなかった者と、前記広告実績に応じて報酬の分配を受ける権利を有する他の者とは、前記第１の処理装置から前記報酬分配情報を受け取った前記第２の処理装置によって報酬を取得する、付記２に記載の報酬分配システム。
【００８６】
［付記４］
広告を発注する者からの発注に応じて前記広告を管理する者、前記広告を制作する者、及び、前記広告実績に応じて報酬の分配を受ける権利を有する他の者は、前記第１の処理装置によって報酬を取得する、付記１又は２に記載の報酬分配システム。
【００８７】
［付記５］
前記広告を発注する者は、広告の発注内容を示す情報を含むトランザクションを前記ブロックチェーンネットワークにブロードキャストして、前記広告の発注内容を示す情報を前記ブロックチェーンに追加する、付記３又は４に記載の報酬分配システム。
【００８８】
［付記６］
前記広告の発注内容を示す情報には、前記報酬分配条件が含まれる、付記５に記載の報酬分配システム。
【００８９】
［付記７］
前記広告の発注内容を示す情報には、前記広告の発注金額、広告費の上限、広告の対象物、広告の対象サービス、前記広告を発注する者、前記広告を管理する者、前記広告を制作する者及び前記広告実績に応じて報酬の分配を受ける権利を有する他の者を特定するための情報、発注前に広告を発注する者に提示された見積を示す情報、前記広告にかかる広告素材、前記広告素材のメタ情報、のうちの一部又は全部が含まれる、付記５又は６に記載の報酬分配システム。
【００９０】
［付記８］
分配元となる報酬の情報を含むトランザクションを、広告実績と前記広告実績に応じて分配されるべき報酬を示す報酬分配条件とが記録されたブロックチェーンを保持しているブロックチェーンネットワークにブロードキャストして、前記分配元となる報酬の情報を前記ブロックチェーンに追加し、前記ブロックチェーンから前記報酬分配条件を参照し、分配されるべき報酬を示す報酬分配情報を作成し、前記報酬分配情報を含むトランザクションを前記ブロックチェーンネットワークにブロードキャストして、前記ブロックチェーンにおいて前記分配されるべき報酬を、前記分配元となる報酬から取得する、報酬分配方法。
【００９１】
［付記９］
作成された前記報酬分配情報を受け取り、前記報酬分配情報を含むトランザクションを前記ブロックチェーンネットワークにブロードキャストして、前記ブロックチェーンにおいて前記分配されるべき報酬を前記分配元となる報酬から取得する、付記８に記載の報酬分配方法。
【００９２】
［付記１０］
広告を発注する者、発注に応じて前記広告を管理する者、及び、前記広告を制作する者のいずれか又は一部が、前記報酬分配情報を作成し、前記発注に応じて広告を管理する者、及び、前記広告を制作する者のうちで前記報酬分配情報を作成しなかった者と、前記広告実績に応じて報酬の分配を受ける権利を有する他の者とは、前記報酬分配情報を受け取って報酬を取得する、付記９に記載の報酬分配方法。
【００９３】
［付記１１］
広告を発注する者からの発注に応じて前記広告を管理する者、前記広告を制作する者、及び、前記広告実績に応じて報酬の分配を受ける権利を有する他の者は、自己が作成した前記報酬分配情報を含むトランザクションを前記ブロックチェーンネットワークにブロードキャストして報酬を取得する、付記８又は９に記載の報酬分配方法。
【００９４】
［付記１２］
前記広告を発注する者は、広告の発注内容を示す情報を含むトランザクションを前記ブロックチェーンネットワークにブロードキャストして、前記広告の発注内容を示す情報を前記ブロックチェーンに追加する、付記１０又は１１に記載の報酬分配方法。
【００９５】
［付記１３］
前記広告の発注内容を示す情報には、前記報酬分配条件が含まれる、付記１２に記載の報酬分配方法。
【００９６】
［付記１４］
前記広告の発注内容を示す情報には、前記広告の発注金額、広告費の上限、広告の対象物、広告の対象サービス、前記広告を発注する者、前記広告を管理する者、前記広告を制作する者及び前記広告実績に応じて報酬の分配を受ける権利を有する他の者を特定するための情報、発注前に広告を発注する者に提示された見積を示す情報、前記広告にかかる広告素材、前記広告素材のメタ情報、のうちの一部又は全部が含まれる、付記１２又は１３に記載の報酬分配方法。
【００９７】
［付記１５］
広告実績と、前記広告実績に応じて分配されるべき報酬を示す報酬分配条件と、が記録されたブロックチェーンを保持しているブロックチェーンネットワークと接続される処理装置であって、分配元となる報酬の情報を含むトランザクションを前記ブロックチェーンネットワークにブロードキャストして、前記分配元となる報酬の情報を前記ブロックチェーンに追加する追加手段と、前記ブロックチェーンから前記報酬分配条件を参照し、前記処理装置に分配されるべき報酬を示す報酬分配情報を作成する作成手段と、
前記報酬分配情報を含むトランザクションを前記ブロックチェーンネットワークにブロードキャストして、前記ブロックチェーンにおいて前記分配されるべき報酬を、前記分配元となる報酬から取得する取得手段と、を備える、処理装置。
【００９８】
［付記１６］
広告実績と、前記広告実績に応じて分配されるべき報酬を示す報酬分配条件と、が記録されたブロックチェーンを保持しているブロックチェーンネットワークと接続される処理装置のコンピュータに、分配元となる報酬の情報を含むトランザクションを前記ブロックチェーンネットワークにブロードキャストして、前記分配元となる報酬の情報を前記ブロックチェーンに追加する処理と、前記ブロックチェーンから前記報酬分配条件を参照し、前記処理装置に分配されるべき報酬を示す報酬分配情報を作成する処理と、前記報酬分配情報を含むトランザクションを前記ブロックチェーンネットワークにブロードキャストして、前記ブロックチェーンにおいて前記分配されるべき報酬を、前記分配元となる報酬から取得する処理と、を実行させる、プログラム。
【符号の説明】
【００９９】
１  処理部
２  記憶部
１０、１１、２０、２１、３０、３１、４０  処理装置
５０、５１  ブロックチェーンネットワーク
６０  通信ネットワーク
１００  処理装置
１０１  プロセッサ
１０２  メモリ
１０３  入出力インターフェイス
１０４  表示部
１０５  周辺回路
１０６  バス
１０００、１００１、１００２、１００３  報酬分配システム
ＢＣ  ブロックチェーン
ＴＲ１−ＴＲ５  トランザクション
【図１】
2020194372.tif 000003
【図２】
2020194372.tif 000004
【図３】
2020194372.tif 000005
【図４】
2020194372.tif 000006
【図５】
2020194372.tif 000007
【図６】
2020194372.tif 000008
【図７】
2020194372.tif 000009
【図８】
2020194372.tif 000010
【図９】
2020194372.tif 000011
【図１０】
2020194372.tif 000012
【図１１】
2020194372.tif 000013